【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
インクを吐出する複数の吐出口と、前記複数の吐出口と連通する圧力室と、を有する記録ヘッドと、
前記圧力室にインクを供給し、且つ、前記圧力室からインクを回収するように、インクを循環させるための循環経路と、
前記循環経路内のインクの濃度に関する濃度情報を取得する濃度取得手段と、
前記濃度取得手段により取得された前記濃度情報に基づき、前記複数の吐出口からのインクの吐出を制御する制御手段と、
を有することを特徴とする記録装置。
【請求項２】
前記制御手段は、前記濃度情報が第１の濃度を示す場合には所定のタイミングでインクを吐出し、前記濃度情報が前記第１の濃度よりも高い第２の濃度を示す場合には前記所定のタイミングよりも早いタイミングでインクを吐出するように制御することを特徴とする請求項１に記載の記録装置。
【請求項３】
前記第１のタイミングは、予め定められた基準のタイミングであり、
前記第２のタイミングは、前記基準のタイミングに対し、所定の時間早く吐出されるタイミングであることを特徴とする請求項２に記載の記録装置。
【請求項４】
前記記録ヘッドとして、第１のインクを吐出するための第１の記録ヘッドと、前記第１のインクよりも濃度が高い第２のインクを吐出するための第２の記録ヘッドと、を有し、
前記循環経路として、第１のインクを循環させるための第１の循環経路と、第２のインクを循環させるための第２の循環経路と、を有し、
前記濃度取得手段は、前記濃度情報として、前記第１の循環経路に関する第１の濃度情報と前記第２の循環経路に関する第２の濃度情報とを取得し、
前記制御手段は、前記第１の濃度情報に基づいて前記第１の記録ヘッドからの第１のインクの吐出を制御し、前記第２の濃度情報に基づいて前記第２の記録ヘッドからの第２のインクの吐出を制御することを特徴とする請求項１から３のいずれか１項に記載の記録装置。
【請求項５】
前記制御手段は、前記第１の濃度情報が示す濃度が第１の閾値よりも低い場合に第１のタイミングで第１のインクを吐出し、前記第１の濃度情報が示す濃度が前記第１の閾値よりも高い場合に前記第１のタイミングよりも早い第２のタイミングで第１のインクを吐出し、前記第２の濃度情報が示す濃度が第２の閾値よりも低い場合に第３のタイミングで第２のインクを吐出し、前記第２の濃度情報が示す濃度が前記第２の閾値よりも高い場合に前記第３のタイミングよりも早い第４のタイミングで第２のインクを吐出するように制御し、
前記第２の閾値は、前記第１の閾値よりも大きいことを特徴とする請求項４に記載の記録装置。
【請求項６】
インクの消費量に関する消費量情報を取得する消費量取得手段と、
前記記録ヘッドからのインクの蒸発量に関する蒸発量情報を取得する蒸発量取得手段と、を更に有し、
前記濃度取得手段は、前記消費量情報と前記蒸発量情報に基づいて、前記濃度情報を取得することを特徴とする請求項１から５のいずれか１項に記載の記録装置。
【請求項７】
前記循環経路内に存在するインクの初期量に関する初期量情報を取得する初期量取得手段と、を更に有し、
前記濃度取得手段は、前記消費量情報と前記蒸発量情報と前記初期量情報に基づいて、前記濃度情報を取得することを特徴とする請求項６に記載の記録装置。
【請求項８】
記録ヘッドは、前記複数の吐出口と対向する位置に設けられ、駆動パルスが印加されることでインクを吐出するためのエネルギーを生成する複数の記録素子を更に有し、
前記制御手段は、前記複数の記録素子に対して駆動パルスを印加するタイミングを調整することによりインクの吐出を制御することを特徴とする請求項１から７のいずれか１項に記載の記録装置。
【請求項９】
記録データを取得するデータ取得手段を更に有し、
前記制御手段は、取得された前記記録データを変更することによりインクの吐出を制御することを特徴とする請求項１から８のいずれか１項に記載の記録装置。
【請求項１０】
インクを収容するインクタンクを更に有し、
前記循環経路は、前記圧力室と前記インクタンクの間でインクを循環させることを特徴とする請求項１から９のいずれか１項に記載の記録装置。
【請求項１１】
インクを吐出する複数の吐出口と、前記複数の吐出口と連通する圧力室と、を有する記録ヘッドと、
前記圧力室にインクを供給し、且つ、前記圧力室からインクを回収するように、インクを循環させるための循環経路と、
前記循環経路内のインクの濃度に関する濃度情報を取得する濃度取得手段と、
前記濃度取得手段により取得された前記濃度情報に基づき、前記記録ヘッドと記録媒体との間の距離を調整する調整手段と、
前記調整手段によって調整された距離でインクを吐出することにより、記録媒体に対する画像の記録動作を制御する制御手段と、を有することを特徴とする記録装置。
【請求項１２】
前記調整手段は、前記濃度情報が第１の濃度を示す場合には前記記録ヘッドと前記記録媒体の間の距離を所定の距離に調整し、前記濃度情報が前記第１の濃度よりも高い第２の濃度を示す場合には前記所定の距離よりも短い距離に調整することを特徴とする請求項１１に記載の記録装置。
【請求項１３】
インクの消費量に関する消費量情報を取得する消費量取得手段と、
前記記録ヘッドからのインクの蒸発量に関する蒸発量情報を取得する蒸発量取得手段と、を更に有し、
前記濃度取得手段は、前記消費量情報と前記蒸発量情報に基づいて、前記濃度情報を取得することを特徴とする請求項１１または１２に記載の記録装置。
【請求項１４】
インクを吐出する複数の吐出口と、前記複数の吐出口と連通する圧力室と、を有する記録ヘッドと、
前記圧力室にインクを供給し、且つ、前記圧力室からインクを回収するように、インクを循環させるための循環経路と、
を有する記録装置のための記録制御方法であって、
前記循環経路内のインクの濃度に関する濃度情報を取得する濃度取得工程と、
前記濃度情報に基づいてインクを吐出するタイミングを設定する設定工程と、
を有することを特徴とする記録制御方法。
【請求項１５】
インクを吐出する複数の吐出口と、前記複数の吐出口と連通する圧力室と、を有する記録ヘッドと、
前記圧力室にインクを供給し、且つ、前記圧力室からインクを回収するように、インクを循環させる循環経路と、
を有する記録装置のための記録制御方法であって、
前記循環経路内のインクの濃度に関する濃度情報を取得する濃度取得工程と、
前記濃度情報に基づいて前記記録ヘッドと記録媒体との間の距離を調整する調整工程と、
を有することを特徴とする記録制御方法。
【請求項１６】
インクを吐出する複数の吐出口と、前記複数の吐出口にインクを供給するためのインク供給口と、前記供給口から供給されたインクを回収するためのインク回収口と、を有する記録ヘッドと、
前記インク供給口にインクを供給し、且つ、前記インク回収口からインクを回収するように、インクを循環させるための循環経路と、
前記循環経路内のインクの濃度に関する濃度情報を取得する濃度取得手段と、
前記濃度情報に基づいて前記複数の吐出口からのインクの吐出を制御する制御手段と、
を有することを特徴とする記録装置。
【請求項１７】
インクを吐出する複数の吐出口と、前記複数の吐出口にインクを供給するためのインク供給口と、前記供給口から供給されたインクを回収するためのインク回収口と、を有する記録ヘッドと、
前記インク供給口にインクを供給し、且つ、前記インク回収口からインクを回収するように、インクを循環させるための循環経路と、
を有する記録装置のための記録制御方法であって、
前記循環経路内のインクの濃度に関する濃度情報を取得する濃度取得工程と、
前記濃度情報に基づいて前記複数の吐出口からインクを吐出するタイミングを設定する設定工程と、
を有することを特徴とする記録制御方法。
【手続補正２】
【補正対象書類名】明細書
【補正対象項目名】発明の名称
【補正方法】変更
【補正の内容】
【発明の名称】記録装置および記録制御方法
【手続補正３】
【補正対象書類名】明細書
【補正対象項目名】０００１
【補正方法】変更
【補正の内容】
【０００１】
本発明は、記録装置及び記録制御方法に関する
【手続補正４】
【補正対象書類名】明細書
【補正対象項目名】００１０
【補正方法】変更
【補正の内容】
【００１０】
そこで、本発明は、インクを吐出する複数の吐出口と、前記複数の吐出口と連通する圧力室と、を有する記録ヘッドと、前記圧力室にインクを供給し、且つ、前記圧力室からインクを回収するように、インクを循環させるための循環経路と、前記循環経路内のインクの濃度に関する濃度情報を取得する濃度取得手段と、前記濃度取得手段により取得された前記濃度情報に基づき、前記複数の吐出口からのインクの吐出を制御する制御手段と、を有することを特徴とする。